(57)【要約】      （修正有）【課題】寒い期間温風ストーブだけでは暖まりにくい屋内で燃料費を節約すると共に快適に過ごせる石油・温風式テーブル兼用コタツを提供する。【解決手段】温風ストーブの温風を屋内に放出せず、箱の中に溜め必要な所の扉を開く事により温風が集中的に放出され前に座り足・膝等を中に入れる事により体全体が温まる事を特徴とする。【選択図】図３
0003137504.tif 000002
【実用新案登録請求の範囲】
【請求項１】
一般に使用されている温風ストーブの吹き出し口からダクトにより温風を、取り入れる形態で、板体で側面、底面、化粧板で天板との組み合わせにより箱型に成形され、またコタツ同様、側面部には手足、膝等を入れて暖めるために、左右に開く観音開きの扉を設け、椅子に腰掛け扉を開き使用する。本来は、コタツにはコタツ布団ですが、汚れる作業も行う為、板体で箱体を作り、扉を設けたところを特徴とする  石油・温風式テーブル兼用コタツ。
【考案の詳細な説明】
【技術分野】
【０００１】  温風型スト−ブで部屋を快適温度にするには時間がかかり光熱費も余計に使います．温風ストーブの燃料を節約し暖かく過ごす為に本考案の石油・温風式テ−ブル兼用コタツに組み合わせ使用するものに関する。
【背景技術】
【０００２】  寒い期間、隙間風も入る作業場で、温風ストーブを連続強運転を続けても、部屋の温度が上がらず灯油を多く無駄に使用していた。
【考案の開示】
【考案が解決しようとする課題】
【０００３】  寒い期間、少ない光熱費で短時間で効率良く温まりながらテ−ブルでの作業・事務・日常生活に渡り機能性も良く長時間でも快適に出来るようにしたもの。
【課題を解決するための手段】
【０００４】  温風ストーブの温風を屋内に放出せず、ダクト等により温風を取り入れるための入り口を設けた、立方体、又は長方体でコタツ布団の替わりに板体の物で、側面・底面、テーブル天板との組み合わせにより（熱の逃げを防ぐため）箱型に成形され、またコタツ、テーブル同様、側面部には手足、膝を入れるために、左右に開く観音開きの扉で形成され、椅子に腰掛け扉を開き使用する物で、ストーブの温風を屋内に放出せず箱体で温風を溜める事により問題点を解決している。
【考案の効果】
【０００５】  工夫を重ね出来たものであって温風ストーブの吹き出し口にダクトを介し石油・温風式テーブル兼用コタツ使用する事によって、温風ストーブの連続弱運転でも充分に暖かく光熱費も節約し短時間で効率良く暖まり、椅子に座ることにより長時間でも作業・日常生活・事務等を快適に行える。
【考案を実施するための最良の形態】
【０００６】  温風ストーブにダクト（温風取り込み口）をストーブの温風吹き出し口に接触させず、１０センチ程度間隔を開け（ストーブに悪い影響を与えない為）合わせます。ストーブを運転し扉を開き、手足、膝等を石油・温風式テ−ブル兼用コタツの中に入れ暖まります。熱くなれば、ストーブを弱運転にする。また石油・温風式テ−ブル兼用コタツ内より手足、膝等を外に出し使用しても、扉での温風の誘導により充分暖かいものである。人数が増えると隣の扉を開き同様とする。人数が減る場合は、扉を閉め光熱費を節約します。
【実施の例】
【０００７】  添付図面により本発明の実施の形態を説明すると図１は、斜視図である。図２透視斜視図であり、図３はストーブＡ前面の温風吹き出し口に図１。石油・温風式テ−ブル兼用コタツの、１温風送風ダクトを接近させ使用するものである。
【図面の簡単な説明】
【０００８】
【図１】は、石油・温風式テ−ブル兼用コタツの斜視図である。
【図２】は、石油・温風式テ−ブル兼用コタツの透視斜視図である。
【図３】は  石油・温風式テ−ブル兼用コタツの使用図である。
【符号の説明】
【０００９】  １  温風送風ダクト  ２  ダクトスタンド  ３  扉  Ａ  温風ストーブ前面
【図１】
0003137504.tif 000003
【図２】
0003137504.tif 000004
【図３】
0003137504.tif 000005
【手続補正書】
【提出日】平成19年6月7日(2007.6.7)
【手続補正１】
【補正対象書類名】実用新案登録請求の範囲
【補正対象項目名】全文
【補正方法】変更
【補正の内容】
【実用新案登録請求の範囲】
【請求項１】
温風ストーブの吹き出し口から温風送風ダクトにより温風を、取り入れる形態で、板体で側面、底面、化粧板で天板を組み合わせ、テーブル兼用コタツを箱型に形成し、側面部には、左右に開く観音開きの扉を設けたことを特徴とした、石油・温風式テーブル兼用コタツ。
【手続補正２】
【補正対象書類名】明細書
【補正対象項目名】全文
【補正方法】変更
【補正の内容】
【考案の詳細な説明】
【技術分野】
【０００１】  温風ストーブで、部屋全体を快適温度にするためには、時間がかかり光熱費も余計に使うので、温風ストーブの燃料を節約し、暖かく過ごせるように、温風ストーブと本考案と組み合わせて使用する石油・温風式テーブル兼用コタツに関するものである。
【背景技術】
【０００２】  寒い期間、隙間風も入る作業場で、温風ストーブを連続で、「強・中・弱」の強で運転を続けても、部屋の温度が上がらず、灯油を多く無駄に使用していた。
【考案の開示】
【考案が解決しようとする課題】
【０００３】  寒い期間、少ない光熱費で、短時間で効率良く温まりながらテーブルでの作業・事務・日常生活に渡り、機能性も良く、長時間でも快適にできるようにしたものである。
【課題を解決するための手段】
【０００４】  温風ストーブの吹き出し口から温風送風ダクト（１）により温風を、取り入れる形態で、板体で側面、底面、化粧板で天板を組み合わせ、テーブル兼用コタツ（４）を箱型に形成し、側面部には、左右に開く観音開きの扉（３）を設けた。  以上のように構成された、石油・温風式テーブル兼用コタツ。
【考案の効果】
【０００５】  温風ストーブの温風を屋内に放出せず、温風送風ダクトなどにより温風を取り入れるための入口を設け、立方体、または、直方体でコタツ布団の替わりに板体の物で、側面・底板・テーブル天板を組み合わせて、熱の逃げを防ぐため、箱型に形成し、また、コタツ、テーブル同様、側面部には、手足、膝を入れるため、左右に開く観音開きの扉で形成し、椅子に腰掛け扉を開き使用する物で、ストーブの温風を屋内に放出せず箱体で温風を溜めることにより問題点を解決している。  工夫を重ね出来たものであって温風ストーブの吹き出し口に温風送風ダクトを介し、石油・温風式テーブル兼用コタツを使用することによって、温風ストーブを連続で、「強・中・弱」の弱の運転でも、充分に暖かく光熱費も節約し、短時間で効率良く暖まり、椅子に座ることにより、長時間の作業・日常生活・事務等を快適に行える。  本考案は、寒い期間、温風ストーブだけでは温まりにくい屋内で燃料費を節約するとともに快適に過ごせる。  本考案は、温風ストーブの温風を屋内に放出せず、箱の中に溜め必要な所の扉を開くことにより体全体が温まることができる。
【考案を実施するための最良の形態】
【０００６】  本発明を実施するための最良の形態を説明する。  温風ストーブの吹き出し口から温風送風ダクト（１）により温風を、取り入れる形態で、板体で側面、底面、化粧板で天板を組み合わせ、テーブル兼用コタツ（４）を箱型に形成する。  テーブル兼用コタツ（４）は、立方体、または、直方体の箱型にする。  側面部に温風送風ダクトなどにより温風を取り入れるための入口を設ける。  側面部の３ヵ所に、左右に開く観音開きの扉（３）を設けた。  温風送風ダクト（１）にダクトスタンド（２）を設ける。  以上のように構成された、石油・温風式テーブル兼用コタツである。  本発明を使用するときは、温風ストーブに温風取り込み口の温風送風ダクトをストーブの温風吹き出し口に接触させず、ストーブに悪い影響を与えないために、１０センチ程度間隔を開けて合わせる。  また、石油・温風式テーブル兼用コタツ内より手足、膝等を外に出し使用しても、扉での温風の誘導により充分暖かくなる。  人数が増える場合は、扉を開き同様とする。  人数が減る場合は、扉を閉め光熱費を節約する。
【実施例】
【０００７】  添付図面により、本考案の実施の形態を説明すると、図１は、石油・温風式テーブル兼用コタツの斜視図である。  図２は、石油・温風式テーブル兼用コタツの透視斜視図である。  図３は、温風ストーブ前面（Ａ）の温風吹き出し口に、石油・温風式テーブル兼用コタツの温風送風ダクトを接近させて使用する状態を説明した説明図である。
【図面の簡単な説明】
【０００８】
【図１】本考案の斜視図である。
【図２】本考案の透視斜視図である。
【図３】本考案の使用状態を説明した説明図である。
【符号の説明】
【０００９】  １  温風送風ダクト  ２  ダクトスタンド  ３  扉  ４  テーブル兼用コタツ  Ａ  温風ストーブ前面
【手続補正３】
【補正対象書類名】図面
【補正対象項目名】全図
【補正方法】変更
【補正の内容】
【図１】
0003137504.tif 000006
【図２】
0003137504.tif 000007
【図３】
0003137504.tif 000008